(57)【要約】【課題】装置内の湿度を製造初期の湿度に長期にわたり維持できると共に装置内外の圧力差を調整でき、かつ小型化を図れるハードディスクドライブ装置を提供する。【解決手段】ハードディスクドライブ装置１０を、上ハウジング１２および下ハウジング１３で構成された筐体１１と、この筐体１１の内部に収容された磁気ディスク１５および磁気ヘッド１６と、を備えた構成とし、上ハウジング１２と下ハウジング１３とのいずれか一方に筐体１１内と筐体１１外との気圧差を調整するための吸気口１２Ａを設けると共に、この吸気口１２Ａを外側から気圧調整用ゲル状部材２０で封止するような構成とした。そして、気圧調整用ゲル状部材２０を吸気口１２Ａの開口寸法と略同じ大きさに形成した。【選択図】図１
2011253582.tif 000002
【特許請求の範囲】
【請求項１】
上ハウジングおよび下ハウジングで構成された筐体と、この筐体の内部に収容された磁気ディスクおよび磁気ヘッドと、を備えたハードディスクドライブ装置において、
前記上ハウジングと下ハウジングとのいずれか一方に当該筐体内と筐体外との気圧差を調整するための吸気口を設けると共にこの吸気口を外側から気圧調整用ゲル状部材で封止したことを特徴とするハードディスクドライブ装置。
【請求項２】
請求項１に記載のハードディスクドライブ装置において、
前記気圧調整用ゲル状材料を内部に凹部を設けた断面凹形状に形成すると共にその凹部を前記吸気口に被せて配置し、
前記断面凹形状を前記吸気口の縁部外周に固着される厚板状の外周固着部と、この外周固着部の一端部に形成された薄板状の気圧調整部とで形成したことを特徴とするハードディスクドライブ装置。
【請求項３】
請求項１または請求項２に記載のハードディスクドライブ装置において、
前記気圧調整用ゲル状材料の内部の凹部内径寸法を少なくとも前記吸気口の内径寸法より大きくしたことを特徴とするハードディスクドライブ装置。
【請求項４】
請求項１ないし請求項３のいずれか１つに記載のハードディスクドライブ装置において、
前記いずれか一方のハウジングに前記筐体内部の磁気ディスクおよび磁気ヘッドを固定する固定用のネジ穴が設けられると共に前記上ハウジングおよび下ハウジング同士の当接面部にシール用のガスケットが設けられ、前記ネジ穴の隙間とガスケットの隙間とをそれぞれシール用ゲル状部材で封止したことを特徴とするハードディスクドライブ装置。
【請求項５】
請求項１ないし請求項４のいずれか１つに記載のハードディスクドライブ装置において、
収納用の搭載キャリアーに搭載される場合に、内部に磁気ディスクおよび磁気ヘッドが収容された前記筐体を前記搭載キャリアーに設けたバネ機構により支持させて搭載するように構成したことを特徴とするハードディスクドライブ装置。
【請求項６】
請求項５に記載のハードディスクドライブ装置において、
前記バネ機構を、前記気圧調整用ゲル状材料を押圧支持する気圧部バネ部材と、前記ネジ穴に対応するシール用ゲル状部材を押圧支持するねじ穴部バネ部材と、前記ガスケットに対応するシール用ゲル状部材を押圧支持するガスケット部バネ部材とを備えて構成したことを特徴とするハードディスクドライブ装置。
【請求項７】
請求項６に記載のハードディスクドライブ装置において、
前記気圧部バネ部材を断面半円形状部を有する板バネで形成すると共に前記気圧調整用ゲル状材料と接する先端弧の部分に、前記気圧調整用ゲル状材料の前記気圧調整部の凹部内径寸法より大きな逃げ穴を形成したことを特徴とするハードディスクドライブ装置。
【請求項８】
請求項５または請求項６に記載のハードディスクドライブ装置において、
前記上ハウジングおよび下ハウジングの外周面に、前記気圧調整用ゲル状材料、前記ネジ穴部のシール用ゲル状部材および前記ガスケット部のシール用ゲル状部材とバランスさせて複数のバランス用ゲル状部材を設け、
これらの複数のバランス用ゲル状部材をそれぞれ押圧支持するバランス部バネ部材を前記搭載キャリアーに設けたことを特徴とするハードディスクドライブ装置。
【発明の詳細な説明】
【技術分野】
【０００１】
本発明は、例えばコンピュータの小型記憶装置として用いられるハードディスクドライブ装置に関する。
【背景技術】
【０００２】
従来、ハードディスク（ＨＤＤ）では、磁気ヘッドと磁気ディスクとにより情報の読み書きが行われている。
そして、ＨＤＤにおいては、磁気ヘッド、磁気ディスク、ヘッド位置決め機構およびスピンドルモータ等が精密機構要素で構成されているので、塵埃等の侵入を防止する必要がある。
【０００３】
従来のＨＤＤでは、稼動時の内部圧力上昇による内外の圧力差を解消するため、筐体にフィルターとガス吸着剤を有する呼吸穴を設けたものがあり、ディスクエンクロージャー（ＨＤＡ）内に貫通するネジ穴を有する構成のハードディスクドライブ装置も知られている。
【０００４】
また、従来では、ＨＤＤ搭載製品が事務所・コンピュータルーム・データセンター等の温湿度環境が一定に保たれた環境に設置されているが、近年、製品利用分野の拡大とともに、様々な環境（ＨＤＤ単体温湿度環境仕様を超える環境）に設置されるようになってきており、ＨＤＤ内部への湿度侵入により、磁気ヘッドおよび磁気ディスク等が悪影響を受け、その結果、ＨＤＤの長期信頼性が低下するというリスクが増大してきている。
そのため、各ＨＤＤメーカーは湿度のＨＤＤ内部への侵入を抑える呼吸孔部へのラビリンス構造導入等による湿度時定数の増加を図ったりする等の対策が採られている。
【０００５】
温度や湿度、ＨＤＤ搭載製品の内外の気圧差の影響を受けないように構成したＨＤＤとして、例えば、湿度変化、温度変化などから動圧軸受け部に生じる結露を防ぎ、スピンドルモータの安定した起動、および回転を可能にする目的で提案された密閉式ハードディスクが知られている（例えば、特許文献１参照）。
この特許文献１に開示された密閉式ハードディスクは、ハウジングの一側面にベローズが設けられ、このベローズにより、外部の気圧変化を吸収するような構成とされている。
【０００６】
また、回転軸に対する軸封止ユニットのＯリングの固着を防止し、シール性が確保可能な圧縮機が知られている（例えば、特許文献２参照）。
この特許文献２に開示された圧縮機では、シール部材がばね構造によって押さえられている構成が示されている。
【０００７】
さらに、フィルターバンクを通る濾過されない空気が完全に漏洩しないようにする目的で提案されたフィルターバンク装置が知られている（例えば、特許文献３参照）。
この特許文献３に開示されたフィルターバンク装置では、シール部材としてのゲル状の素材を封入し、フィルターを押し付ければ図示の如くシールできる旨の構成が示されている。
【０００８】
また、完全な機密を保ち、筐体の外郭構造も変形せず、確実で高い信頼性を得られる構成のハードディスクドライブ装置が知られている（例えば、特許文献４参照）。
この特許文献４に開示されたハードディスクドライブ装置では、第２実施例として、トップカバーに呼吸穴を設けている場合が示され、この場合、呼吸穴を必要な大きさのベローズ構造の薄板で覆うようにした構成が示されている。
【先行技術文献】
【特許文献】
【０００９】
【特許文献１】特開２０００−３３１４５８号広報
【特許文献２】特開２００７−０７７９５８号広報
【特許文献３】特開昭６２−０４２７２０号広報
【特許文献４】特開平０５−０７４１２９号広報
【発明の概要】
【発明が解決しようとする課題】
【００１０】
しかしながら、前記一般的なＨＤＤでは、呼吸穴・ネジ穴からＨＤＤ内部へ湿度が侵入するため、予め設定された製造初期の湿度に変化が生じ、その湿度の変化が磁気ヘッド、磁気ディスク等に悪影響を及ぼす。その結果、ＨＤＤの長期信頼性を低下させるという問題がある。
【００１１】
また、前記特許文献１に開示された密閉式ハードディスクでは、ベローズがハウジングの内部に設けられており、そのベローズの占める割合が大きくなるので、装置の小型化を図るうえで障害となっている。そのうえ、ベローズがハウジングの内部に設けられているので、ベローズの着脱を行うには、カバー部をハウジングから取り外してからしなければならないので困難であり、繰り返し使用も困難である。
【００１２】
さらに、前記特許文献２に開示された圧縮機では、シール部材はゲル状部材ではなくシールする部位も異なる。
【００１３】
また、前記特許文献３に開示されたフィルターバンク装置では、シール部材としてゲル状の素材が封入されているが、ゲル状の素材は、シール材保持枠で外周を覆われており、着脱自在ではない。
さらにまた、前記特許文献４に開示されたハードディスクドライブ装置では、呼吸穴を必要な大きさのベローズ構造の薄板で覆うようになっているが、ベローズ構造の薄板が呼吸穴の内側に設けられているので、当該薄板を設ける分のスペースが必要となり、ハードディスクドライブ装置の小型化を図るうえで問題となっている。
【００１４】
本発明は、上述した各課題を解決するために提案されたものであり、その目的は、装置内の湿度を製造初期の湿度に長期にわたり維持できると共に装置内外の圧力差を調整でき、かつ小型化を図れるハードディスクドライブ装置を提供することである。
【課題を解決するための手段】
【００１５】
本発明のハードディスクドライブ装置は、上ハウジングおよび下ハウジングで構成された筐体と、この筐体の内部に収容された磁気ディスクおよび磁気ヘッドと、を備えたハードディスクドライブ装置において、前記上ハウジングと下ハウジングとのいずれか一方に当該筐体内と筐体外との気圧差を調整するための吸気口を設けると共にこの吸気口を外側から気圧調整用ゲル状部材で封止したことを特徴とする。
【発明の効果】
【００１６】
本発明のハードディスクドライブ装置は以上のように構成されているので、以下に記載するような効果を奏する。
すなわち、吸気口が外側から気圧調整用ゲル状部材で封止されており、吸気口から侵入する湿度を防止することができるので、装置内の湿度を製造初期の湿度に長期にわたり維持することができる。
また、吸気口が外側から気圧調整用ゲル状部材で封止されており、この気圧調整用ゲル状部材が柔軟性を有しているので、装置内外の圧力差に応じて膨出したり凹んだりして上記圧力差を吸収することができ、その結果、装置内外の圧力差を調整でき装置の長寿命化を図ることができる。
さらに、吸気口が外側から気圧調整用ゲル状部材で封止されており、当該気圧調整用ゲル状部材を筐体の内部に設けなくてもよいので、筐体の小型化を図ることができる。
また、気圧調整用ゲル状部材を、自身が持つ粘性を利用して貼付けることで設けられているので、筐体への着脱が容易となり、その結果、繰り返して使用することができる。
【図面の簡単な説明】
【００１７】
【図１】本発明に係るハードディスクドライブ装置の第１実施形態を示す縦断面図である。
【図２】前記第１実施形態の吸気口を覆うゲル状部材の気圧の変化に伴う動きを示す縦断面図である。
【図３】本発明に係るハードディスクドライブ装置の第２実施形態を示す縦断面図である。
【図４】前記第２実施形態の気圧調整用ゲル状部材とバネ機構との関係を示す縦断面図である。
【図５】図４におけるV−V線に沿った矢視図である。
【発明を実施するための最良の形態】
【００１８】
以下、図面に基づいて本発明に係るハードディスクドライブ装置を説明する。
【００１９】
図１、図２には、本発明のハードディスクドライブ装置「以下、単に装置という」１０の第１実施形態が示されている。
図１に示すように、装置１０は、上ハウジング１２および下ハウジング１３で構成された筐体１１と、この筐体１１の内部に収容された磁気ディスク１５および磁気ヘッド１６と、を備えて構成されている。
【００２０】
上ハウジング１２および下ハウジング１３は、それぞれが略矩形状の箱体に形成されている。下ハウジング１３は底体を構成するものであり、また、上ハウジング１２は蓋体を構成するものである。
そして、上記下ハウジング１３に磁気ディスク１５および磁気ヘッド１６が装備されており、この磁気ヘッド１６には、図略のスピンドルモーター等が装備されている。
そして、両者１２，１３は、それぞれの対向面にガスケット１７を介装させて図略のボルト等により連結され一体化されるようになっている。
【００２１】
上ハウジング１２には、筐体１１の内部と筐体１１の外部との気圧差を調整するための所定径寸法の吸気口１２Ａが上ハウジング１２を貫通して設けられている。
吸気口１２Ａは、図２に詳細を示すように、気圧調整用ゲル状部材２０で封止されている。この気圧調整用ゲル状部材２０は、円柱部材で断面凹形状に形成されている。
すなわち、凹形状は、厚板状の外周固着部２０Ａと、この外周固着部２０Ａの一端部に形成された薄板状の気圧調整部２０Ｂとで形成されており、外周固着部２０Ａが吸気口１２Ａを覆ってその縁部外周に固着されるようになっている。また、気圧調整用ゲル状部材２０の凹部２０Ｃの内径寸法は、上記吸気口１２Ａの内径寸法と略同じ大きさに形成されている。
【００２２】
ここで、ゲル状部材とは、コロイド粒子のなかで、液体を分散媒とする分散系が流動性を失って半固体ないし固体化したものをいう。
そして、本実施形態では、ゲル状部材として、弾性、耐久性、耐油性、耐薬品性に優れ、また、所定の強さの粘着度を有するものが使用されており、例えばアクリルベース、ウレタンベース等の弾性のあるゴム状ゲル素材が使用されている。
【００２３】
気圧調整用ゲル状部材２０は、粘性を有しており自己粘着力で貼り付けられているので、上ハウジング１２への着脱が容易となり、これにより、繰り返し使用できるようになっている。
なお、吸気口１２Ａおよび気圧調整用ゲル状部材２０は、上ハウジング１２に限らず下ハウジング１３に設けてもよく、また、複数設けてもよい。
【００２４】
図１に戻って、前記下ハウジング１３には、筐体１１内部のディスクエンクロージャー（ＨＤＡ）内に貫通するネジ穴１３Ａ，１３Ａがあけられている。
これらのネジ穴１３Ａ，１３Ａは、気圧調整用ゲル状部材２０と同一材質のゲル状部材で形成されたシール用ゲル状部材２１，２１により外側から封止されている。これらのシール用ゲル状部材２１，２１は、ネジ穴１３Ａ，１３Ａより大きな外径寸法で、かつ所定厚さ寸法に形成されている。
そして、シール用ゲル状部材２１，２１も粘性を利用して貼り付けられているので、下ハウジング１３への着脱が容易となり、これにより、繰り返し使用できるようになっている。
【００２５】
また、前記上ハウジング１２と下ハウジング１３との分割面に介装されるガスケット１７の部位にも、その隙間を塞ぐシール用ゲル状部材２２が設けられている。
上記ガスケット１７は、略矩形状の上ハウジング１２と下ハウジング１３との分割面に沿って設けられているので、各ハウジング１２，１３の対向面の幅で形成された薄板状の矩形リング形状になっている。
【００２６】
そのため、上記シール用ゲル状部材２２は、矩形リング形状ガスケット１７の外周に接するように形成され、厚板状の矩形リング形状に形成されている。
また、シール用ゲル状部材２２も、前記各ゲル状部材２１，２１と同一材質のゲル状部材で形成されており、粘性を利用して貼り付けられているので、分割面への着脱が容易となり、これにより、繰り返し使用できるようになっている。
【００２７】
次に、図２に基づいて、筐体１１の内部と外部とに気圧差が生じた際の気圧調整用ゲル状部材２０における薄板状の気圧調整部２０Ｂの変動状態を説明する。
【００２８】
図２（Ａ）に示すように、筐体１１の内部と外部との気圧に差がない場合は、気圧調整部２０Ｂは水平状態を維持している。
これに対して、筐体１１の内部の気圧が低くなった場合、図２（Ｂ）に示すように、気圧調整部２０Ｂは内側に凹む。また、これとは逆に筐体１１の内部の気圧が高くなった場合、図２（Ｃ）に示すように、気圧調整部２０Ｂは外側に膨出する。
このように、気圧調整用ゲル状部材２０の気圧調整部２０Ｂが変形することにより筐体１１の内部の気圧の変化を吸収することができるようになっている。
【００２９】
以上のように構成された装置１０によれば、次のような効果が得られる。
（１）吸気口１２Ａが外側から気圧調整用ゲル状部材２０で封止されており、吸気口１２Ａから侵入する湿度を防止することができるので、筐体１１内の湿度を製造初期の湿度に長期にわたり維持することができ、装置１０の長寿命化を図ることができる。
【００３０】
（２）吸気口１２Ａが外側から気圧調整用ゲル状部材２０で封止されており、この気圧調整用ゲル状部材２０が柔軟性を有し、特に気圧調整部２０Ｂが薄板状となっているので、筐体１１内外のわずかな圧力差に応じて膨出したり凹んだりして上記圧力差を吸収することができる。その結果、筐体１１内外の圧力差を調整できるので装置１０の長寿命化を図ることができる。
【００３１】
（３）吸気口１２Ａが外側から気圧調整用ゲル状部材２０で封止されており、当該気圧調整用ゲル状部材２０を筐体１１の内部に設けなくてもよいので、筐体１１の小型化を図ることができる。
【００３２】
（４）吸気口１２Ａが気圧調整用ゲル状部材２０で封止され、ネジ穴１３Ａ，１３Ａがシール用ゲル状部材２１，２１で封止され、ガスケット１７部がシール用ゲル状部材２２で封止されているので、筐体１１の隙間がすべて塞がれているので、外部からの湿度の侵入を防止することができる。その結果、筐体１１内の湿度を製造初期の湿度に長期にわたり維持することができ、装置１０の長寿命化を図ることができる。
【００３３】
次に、図３〜図５に基づいて、本発明の装置１０の第２実施形態を説明する。
なお、この第２実施形態において、前記第１実施形態での構成部材と同様の部材には同一符号を付すと共にそれらの詳細な説明は省略または簡略化し、異なる部分のみを詳細に説明する。
【００３４】
本第２実施形態は、前記第１実施形態の装置１０が収納用の搭載キャリアー３０に収納する場合に、内部に磁気ディスク１５および磁気ヘッド１６が収容された筐体１１を、搭載キャリアー３０と筐体１１との間に介装させたバネ機構３１により支持させて、上記搭載キャリアー３０に収納させたものである。
【００３５】
すなわち、図３に示すように、搭載キャリアー３０は、上記装置１０を図３の紙面直交方向に複数配置できる大きさの箱形状に形成されている。
搭載キャリアー３０は、大空間３０Ａと小空間３０Ｂとに分けられており、そのうちの大空間３０Ａに上記装置１０が収納されるようになっている。そして、装置１０は上述のようにバネ機構３１により支持されている。
【００３６】
バネ機構３１の複数のバネ部材は、それぞれ搭載キャリアー３０の内側面に固着されており、前記吸気口１２Ａを封止する気圧調整用ゲル状部材２０に対応する気圧部バネ部材３２と、ネジ穴１３Ａ，１３Ａを封止するシール用ゲル状部材２１，２１に対応するネジ穴部バネ部材３３，３３と、ガスケット部１７を封止するシール用ゲル状部材２２に対応するガスケット部バネ部材３４，３４と、バランス用ゲル状部材２３，２３に対応するバランスバネ部材３５，３５とで構成されている。
【００３７】
ここで、上記バランス用ゲル状部材２３，２３は、装置１０のネジ穴１３Ａ，１３Ａを封止するシール用ゲル状部材２１，２１とは反対付側の位置で、上ハウジング１２の上面および下ハウジング１３の底面にそれぞれ予め設けられている。
なお、バランス用ゲル状部材２３，２３の材質は必ずしもゲル状でなくてもよく、塩ビ等のプラスチック製としてもよい。
【００３８】
各バネ部材３２，３３，３４，３５は、断面半円形状の板バネで形成されており、各バネ部材３２，３３，３４，３５の両端部のフランジ部が搭載キャリアー３０の内側面にスポット溶接等により固着されている。
【００３９】
気圧調整用ゲル状部材２０に対応する気圧部バネ部材３２は、図４、図５に詳細を示すように、気圧調整用ゲル状材料２０と接する先端弧の中央部に、気圧調整用ゲル状部材２０の薄板状の気圧調整部２０Ｂに対応する丸孔３２Ａが形成されており、この丸孔３２Ａが装置１０の内部と外部との気圧差に応じて膨らんだり凹んだりする気圧調整用ゲル状材料２０の気圧調整部２０Ｂの動きに干渉しないようになっている。
そして、このような気圧部バネ部材３２は、前述のように、両端部のフランジ部３２Ｂが搭載キャリアー３０の内側面にスポット溶接等により固着されている。
【００４０】
他のシール用ゲル状部材２１，２２およびバランス用ゲル状部材２３にそれぞれ対応するバネ部材３３，３４，３５は、それぞれの先端部が各シール用ゲル状部材２１，２２およびバランス用ゲル状部材２３の外表面に接触して設けられている。そして、バネ部材３３４は、シール用ゲル状部材２２の外周に所定間隔で複数個配置されている。
そのため、搭載キャリアー３０の内部で装置１０に振動等による揺れが発生しても、バネ部材３３等のバネ性とシール用ゲル状部材２１等の柔軟性とにより振動が吸収され、装置１０の内部に及ぼす悪影響を防止することができる。
なお、前記バランス用ゲル状部材２３，２３を設けずに、その位置を直接バネ部材３５で支持するようにしてもよい。
【００４１】
以上のように構成された第２実施形態によれば、前記（１）〜（４）と略同様の効果の他、次のような効果が得られる。
【００４２】
（５）気圧調整用ゲル状部材２０が気圧部バネ部材３２で、シール用ゲル状部材２１がネジ穴部バネ部材３３で、シール用ゲル状部材２２がガスケット部バネ部材３４で、バランス用ゲル状部材２３がバランス部バネ部材３５で、それぞれ押圧支持されているので、搭載キャリアー３０の内部で装置１０に振動等による揺れが発生しても、バネ部材３２等のバネ性と気圧調整用ゲル状部材２０等の柔軟性とにより振動が吸収され、装置１０の内部に及ぼす悪影響を防止することができる。
【００４３】
（６）気圧部バネ部材３２の、気圧調整用ゲル状材料２０と接する先端弧の中央部には、気圧調整用ゲル状部材２０の薄板状の気圧調整部２０Ｂに対応する丸孔３２Ａが形成されているので、筐体１１内外の気圧差に応じて膨らんだり凹んだりする気圧調整部２０Ｂの動きを許容することができる。その結果、装置１０が搭載キャリアー３０内に収納された場合でも、筐体１１内外の気圧差を吸収することができる。
【００４４】
以上、上記各実施形態を参照して本発明を説明したが、本発明は上記各実施形態に限定されるものではない。本発明の構成や詳細については、当業者が理解し得るさまざまな変更を加えることができる。また、本発明には、上記各実施形態の構成の一部又は全部を相互に適宜組み合わせたものも含まれる。
【００４５】
例えば、前記第１実施形態では、気圧調整用ゲル状部材２０の凹部の内径部２０Ｃの寸法を、上ハウジング１２に設けられた吸気口１２Ａの内径寸法と略同じ大きさに形成したが、これに限らない。気圧調整用ゲル状部材２０の凹部の内径部２０Ｃの寸法を吸気口１２Ａの内径寸法より大きくしてもよい。
このようにすれば、より大きな気圧の差を吸収することができるので、内圧調整がより確実になされ、さまざまな環境により柔軟、かつ確実に対応することができる。
【００４６】
例えば、前記第２実施形態では、バネ機構３１を構成する各バネ部材３２〜３５を断面半円形状の板バネで形成したが、これに限らず、コイルバネで各ゲル状部材２０〜２３を支持するように構成してもよい。
このようにしても、前記（６）と略同様の効果を得ることができる。
【００４７】
上述した各実施形態については、その新規な技術的内容の要点をまとめると、以下のようになる。
なお、上記実施形態の一部または全部は、新規な技術として以下のようにまとめられるが、本発明は必ずしもこれに限定されるものではない。
【００４８】
（付記１）
上ハウジングおよび下ハウジングで構成された筐体と、この筐体の内部に収容された磁気ディスクおよび磁気ヘッドと、を備えたハードディスクドライブ装置において、
前記上ハウジングと下ハウジングとのいずれか一方に当該筐体内と筐体外との気圧差を調整するための吸気口を設けると共にこの吸気口を外側から気圧調整用ゲル状部材で封止したことを特徴とするハードディスクドライブ装置。
【００４９】
（付記２）
付記１に記載のハードディスクドライブ装置において、
前記気圧調整用ゲル状材料を内部に凹部を設けた断面凹形状に形成すると共にその凹部を前記吸気口に被せて配置し、
前記断面凹形状を前記吸気口の縁部外周に固着される厚板状の外周固着部と、この外周固着部の一端部に形成された薄板状の気圧調整部とで形成したことを特徴とするハードディスクドライブ装置。
【００５０】
（付記３）
付記１または付記２に記載のハードディスクドライブ装置において、
前記気圧調整用ゲル状材料の内部の凹部内径寸法を少なくとも前記吸気口の内径寸法より大きくしたことを特徴とするハードディスクドライブ装置。
【００５１】
（付記４）
付記１ないし付記３のいずれか１つに記載のハードディスクドライブ装置において、前記いずれか一方のハウジングに前記筐体内部の磁気ディスクおよび磁気ヘッドを固定する固定用のネジ穴が設けられると共に前記上ハウジングおよび下ハウジング同士の当接面部にシール用のガスケットが設けられ、前記ネジ穴の隙間とガスケットの隙間とをそれぞれシール用ゲル状部材で封止したことを特徴とするハードディスクドライブ装置。
【００５２】
（付記５）
付記１ないし付記４のいずれか１つに記載のハードディスクドライブ装置において、収納用の搭載キャリアーに搭載される場合に、内部に磁気ディスクおよび磁気ヘッドが収容された前記筐体を前記搭載キャリアーに設けたバネ機構により支持させて搭載するように構成したことを特徴とするハードディスクドライブ装置。
【００５３】
（付記６）
付記５に記載のハードディスクドライブ装置において、
前記バネ機構を、前記気圧調整用ゲル状材料を押圧支持する気圧部バネ部材と、前記ネジ穴に対応するシール用ゲル状部材を押圧支持するねじ穴部バネ部材と、前記ガスケットに対応するシール用ゲル状部材を押圧支持するガスケット部バネ部材とを備えて構成したことを特徴とするハードディスクドライブ装置。
【００５４】
（付記７）
付記６に記載のハードディスクドライブ装置において、
前記気圧部バネ部材を断面半円形状部を有する板バネで形成すると共に前記気圧調整用ゲル状材料と接する先端弧の部分に、前記気圧調整用ゲル状材料の前記気圧調整部の凹部内径寸法より大きな逃げ穴を形成したことを特徴とするハードディスクドライブ装置。
【００５５】
（付記８）
付記５または付記６に記載のハードディスクドライブ装置において、
前記上ハウジングおよび下ハウジングの外周面に、前記気圧調整用ゲル状材料、前記ネジ穴部のシール用ゲル状部材および前記ガスケット部のシール用ゲル状部材とバランスさせて複数のバランス用ゲル状部材を設け、
これらの複数のバランス用ゲル状部材をそれぞれ押圧支持するバランス部バネ部材を前記搭載キャリアーに設けたことを特徴とするハードディスクドライブ装置。
【産業上の利用可能性】
【００５６】
本発明のハードディスクドライブ装置は、コンピュータの小型記憶装置などとして使用する際に利用できる。
【符号の説明】
【００５７】
１０  ハードディスクドライブ装置
１１  筐体
１２  上ハウジング
１２Ａ  吸気口
１３  下ハウジング
１３Ａ  ネジ穴
１７  ガスケット部
２０  気圧調整用ゲル状部材
２０Ｂ  薄板状の気圧調整部
２１  シール用ゲル状部材（ネジ部用）
２２  シール用ゲル状部材（ガスケット部用）
２３  バランス用ゲル状部材
３０  搭載キャリアー
３１  バネ機構
３２  気圧部バネ部材
３３  ネジ穴部バネ部材
３４  ガスケット部バネ部材
３５  バランス部バネ部材
【図１】
2011253582.tif 000003
【図２】
2011253582.tif 000004
【図３】
2011253582.tif 000005
【図４】
2011253582.tif 000006
【図５】
2011253582.tif 000007